(57)【特許請求の範囲】
【請求項１】
側縁部においてボード面に対して直角につばが形成された複数の矩形のパネルボードと、
本体板と狭持部材との間に重合された前記つばを挿入してボルトとナットを締めることで前記つば同士を挟んで相互に固定することができるとともに前記本体板は一端が前記狭持部材より少し突出し、当該突出した部分にロッドを取付けるための軸受けが溶接により取り付けられているクランプと、
一端に前記ロッドが軸着されるとともに他端に杭ガイドが形成されたパイプ材からなる斜材と、
前記軸受に嵌入された前記ロッドを前記軸受けに固定するための留めボルトと、
地面に打ち込まれて前記杭ガイドが外嵌される杭と、
前記杭ガイドが外嵌された前記杭を前記杭ガイドに固定するための留めボルトを備えることを特徴とする仮囲い。
【請求項２】
本体板と狭持部材との間に重合された前記つばを挿入してボルトとナットを締めることで前記つば同士を挟んで相互に固定することができるとともに前記本体板の端部には杭ガイドが溶接にて取り付けられているクランプと、
地面に打ち込まれて前記杭ガイドが外嵌される杭と、
前記杭ガイドが外嵌された前記杭を前記杭ガイドに固定するための留めボルトとをさらに備えることを特徴とする、請求項１に記載の仮囲い。
【発明の詳細な説明】
【０００１】
【発明の属する技術分野】
本発明は、住宅等の施工現場において、道路側に面した敷地境界に設置される仮囲いに関する。
【０００２】
【従来の技術】
従来、住宅施工現場等の道路に面した側に仮囲いを設ける場合、図６に示すように、敷地境界２に沿って、支柱１４をパネルボード１５の幅に合わせて建て、この支柱１４側部の短筒状の取付部１４ａにパネルボード１５の側部に設けられた取付片１５ａを嵌め込み、前記パネルボード１５を前記支柱１４に固定し、仮囲いＢを設置していた。前記支柱１４は、例えば、支柱本体１４ｂと、該支柱本体１４ｂの下端に装着されたねじ式ジャッキベース１６と、前記支柱本体１４ｂの下側部に突設された杭ガイド１４ｃと、前記支柱本体１４ｂ側部に一端が軸着され、他端に杭ガイド１７ａが形成された斜材１７とを備え、杭１１が前記杭ガイド１４ｃ、１７ａを通じて地面３に打込まれたものである。
【０００３】
【発明が解決しようとする課題】
図７に示すように、この仮囲いＢを傾斜した地面３に設置する場合は、前記ジャッキベース１６にて、前記支柱１４の高さが調整され、仮囲いＢ全体が水平になるようにして設けられる。しかし、この場合には、パネルボード１５の下に大きな隙間Ｓが形成され、見栄えが悪いだけでなく、ここから部外者が侵入することも可能であり、防犯上好ましくなかった。一方、前記仮囲いＢ全体を傾斜地の傾きに合わせて設置することも考えられるが、見栄えが悪いだけでなく、支柱が鉛直方向に対して傾斜して設置されることとなるので、構造的に不安定なものとなる。
【０００４】
さらに、前記仮囲いＢを設置するには、多くの施工工数が掛かかるという問題がある。特に、前記支柱１４を設ける場合には、前記したねじ式ジャッキベース１６の調整、前記杭１１の打込み等、作業者にとって負担の大きな作業が多く、多くの時間と労力を費やしていた。
【０００５】
本発明は、上記した課題に鑑みてなされたものであって、傾斜地に設置する場合であっても、パネルボードの下に隙間を形成することなく、傾斜地の傾斜に沿って、見栄え良く設置することができ、合わせて、施工工数の削減を図ることができる仮囲いを提供することを目的とする。
【０００６】
【課題を解決するための手段】
上記目的を達成するために、請求項１記載の仮囲いは、側縁部においてボード面に対して直角につばが形成された複数の矩形のパネルボードと、本体板と狭持部材との間に重合された前記つばを挿入してボルトとナットを締めることで前記つば同士を挟んで相互に固定することができるとともに前記本体板は一端が前記狭持部材より少し突出し、当該突出した部分にロッドを取付けるための軸受けが溶接により取り付けられているクランプと、一端に前記ロッドが軸着されるとともに他端に杭ガイドが形成されたパイプ材からなる斜材と、前記軸受に嵌入された前記ロッドを前記軸受けに固定するための留めボルトと、地面に打ち込まれて前記杭ガイドが外嵌される杭と、前記杭ガイドが外嵌された前記杭を前記杭ガイドに固定するための留めボルトを備えるようにしている。
【０００７】
請求項２記載の仮囲いは、請求項１記載の仮囲いにおいて、本体板と狭持部材との間に重合された前記つばを挿入してボルトとナットを締めることで前記つば同士を挟んで相互に固定することができるとともに前記本体板の端部には杭ガイドが溶接にて取り付けられているクランプと、地面に打ち込まれて前記杭ガイドが外嵌される杭と、前記杭ガイドが外嵌された前記杭を前記杭ガイドに固定するための留めボルトとをさらに備えるようにしている。
【０００８】
【発明の実施の形態】
以下、本発明の実施形態に係る仮囲いについて、図面に基づいて説明する。図１に示すように、前記仮囲いＡは、側縁部１ａにおいて、ボード面１ｂに対して直角につば１ｃが形成された複数の矩形のパネルボード１が敷地境界２に沿って地面３に載置され、前記パネルボード１の前記つば１ｃ同士が重合されてクランプ４に挟まれたことにより、これらパネルボード１同士が相互に固定され、これらパネルボード１が支持手段５により地面３に対して支持されたものである。以下、詳細に説明する。
【０００９】
前記パネルボード１は、例えば、断面Ｌ字形鋼、例えば山型鋼を用いて形成された矩形の枠体１ｄの内側に、板材１ｅが装着されたものであって、該枠体１ｄの側縁部１ａが、前記断面Ｌ字型鋼の断面Ｌ字形に直交する２面のうちの１面を前記つば１ｃとして、前記ボード面１ｂに対して直角に配置されたものである。
【００１０】
前記クランプ４は、図２又は図３に示すように、例えば、断面Ｌ字形の挟持部材４ａが、その突起部４ｂを本体板４ｃ側に向けてボルト４ｄ及びナット（図示せず）により留め付けられたものであり、前記本体板４ｃの長さが互いに異なる図２に示す上部クランプ４Ａと図３に示す下部クランプ４Ｂが本実施の形態において使用される。これらクランプ４によれば、前記本体板４ｃと前記挟持部材４ａとの間に反突起部４ｂ側から重合されたつば１ｃを挿入して前記ボルト４ｄ、ナットを締めることで、前記つば１ｃ同士を挟んで相互に固定することができる。また、前記上部クランプ４Ａの前記本体板４ｃは、一端が前記挟持部材４ａより少し突出しており、この突出した部分に後述するロッドを取付けるための軸受け７が溶接にて取付けられている。一方、前記下部クランプ４Ｂの前記本体板４ｃの端部には、杭ガイド８が溶接にて取付けられており、これに挿入される杭と前記パネルボード１との距離を十分にとって、ハンマーによる前記杭の打ち込みを容易にするため、前記本体板４ｃは前記上部クランプ４Ａのそれより長いものが採用されている。
【００１１】
前記支持手段５により、複数の前記パネルボード１を地面３に対して支持するために、図４に示すように、例えば、上下に設けた２つのクランプ４のうち、上側に設けた前記上部クランプ４Ａに、斜材９の一端が取付けられ、前記斜材９の他端が、該他端に形成された杭ガイド１０を介して地面３に打込まれた杭１１に固定されている。さらに、下側に設けた前記下部クランプ４Ｂが、前記杭ガイド８を介して地面３に打込まれた杭１１に固定されている。
【００１２】
さらに詳細な構成を説明する。前記斜材９はパイプ材等からなるものであって、一端にロッド６が軸着され、他端に杭ガイド１０が形成されたものである。前記上部クランプ４Ａに設けられた前記軸受け７に、前記斜材９の前記ロッド６が嵌入され、留めボルト１３にてこれに固定されている。また、前記斜材９の前記杭ガイド１０が地面３に打ち込まれた杭１１に外嵌されて、留めボルト１３にてこれに固定されている。一方、前記上部クランプ４Ａの下に設けられた前記下部クランプ４Ｂの杭ガイド８は、地面３に打込まれた杭１１に外嵌されて、留めボルト１３にてこれに固定されている。なお、前記留めボルト１３は、前記軸受け７等の外部から内径部まで螺刻された雌ねじに螺入されており、前記留めボルト１３を締め込むことで、前記ロッド６、杭１１等が前記軸受け７、杭ガイド８、１０等に固定されるようになっている。
【００１３】
ところで、前記支持手段５として、上記に具体的な構成例を示したが、前記支持手段５は、これに限定されるものではない。図示しないが、例えば、上記の如く、前記軸受け７や前記杭ガイド１０を前記クランプ４に設けず、前記パネルボード１に直に設ける等して前記パネルボード１を地面３に対して支持させるようにしてもよい。
【００１４】
以下、上記仮囲いＡを設置する手順の一例を示す。まず、作業者等により、図１に示すように、仮囲いＡの端部となる１枚の前記パネルボード１Ａを敷地境界２に沿って地面３に載置する。そして、前記パネルボード１Ａの仮囲いＡの端となる側の前記つば１ｃに前記上部クランプ４Ａと前記下部クランプ４Ｂを夫々挟み着ける。
【００１５】
つぎに、前記上部クランプ４Ａの前記軸受け７に前記斜材９の前記ロッド６を挿入し、前記留めボルト１３にて前記軸受け７に固定し、杭１１を前記杭ガイド１０に挿入して、地面３に打込み、留めボルト１３にて前記杭ガイド１０を前記杭１１に固定する。さらに、別の杭１１を前記下部クランプ４Ｂの前記杭ガイド８に挿入して、地面３に打込み、留めボルト１３にて該杭ガイド８を前記杭１１に固定する。
【００１６】
つぎに、前記パネルボード１Ａの仮囲いを設ける側に、別のパネルボード１Ｂの側縁部１ａを密着させると共に、該パネルボード１Ｂを前記敷地境界２に沿って載置し、前記パネルボード１Ａと前記パネルボード１Ｂの前記つば１ｃ同士を重合して前記上部クランプ４Ａ及び前記下部クランプ４Ｂで挟んでこれらつば１ｃ同士を相互に固定する。このため、前記パネルボード１Ａと前記パネルボード１Ｂは相互に固定された状態となる。ただし、地面３が傾斜している場合は、図５に示すように、前記側縁部１ａを鉛直方向に保った状態で、前記パネルボード１Ａと前記パネルボード１Ｂを相互に上下にずらせて、前記パネルボード１Ａと前記パネルボード１Ｂの前記つば１ｃ同士を前記クランプ４で挟み、これらパネルボード１Ａ、１Ｂを相互に固定する。そして、前記パネルボード１Ａの場合と同様にして、前記下部クランプ４Ｂの前記杭ガイド８に杭１１を挿入して、地面３に打込み、前記下部クランプ４Ｂを前記杭１１に固定する。
【００１７】
つぎに、前記パネルボード１Ｂと前記パネルボード１Ａの前記つば１ｃを前記クランプ４にて相互に固定した場合と同様にして、前記パネルボード１Ｂの前記つば１ｃと更に別のパネルボード１Ｃの前記つば１ｃを前記上部クランプ４Ａ及び前記下部クランプ４Ｂにて相互に固定する。そして、前記パネルボード１Ａの場合と同様にして、前記上部クランプ４Ａに前記斜材９の前記ロッド６を固定し、前記杭ガイド１０に杭１１を挿入して、地面３に打込み、さらに、前記下部クランプ４Ｂの前記杭ガイド８に別の杭１１を挿入して、地面３に打込む。
【００１８】
以上の施工を繰返して、さらにパネルボード１を増設してゆき、所望の幅で仮囲い全体を設ける。このようにして設けられた仮囲いＡは、パネルボード１の側縁部１ａ同士が密着されると共に、地面３に載置されて設けられたものであるために、パネルボード１の下部やパネルボード１同士の間に隙間が殆ど生じない。また、地面３が傾斜している場合においても、上記したように、前記パネルボード１を傾けずに設置することができる。なお、前記上部クランプ４Ａに取付けた前記斜材９等は、図１に示すように、２つに１つの割合で取付られているが、必要に応じて、全ての前記上部クランプ４Ａに取付けてもよい。
【００１９】
【発明の効果】
請求項１記載の仮囲いは、側縁部においてボード面に対して直角につばが形成された複数の矩形のパネルボードと、本体板と狭持部材との間に重合された前記つばを挿入してボルトとナットを締めることで前記つば同士を挟んで相互に固定することができるとともに前記本体板は一端が前記狭持部材より少し突出し、当該突出した部分にロッドを取付けるための軸受けが溶接により取り付けられているクランプと、一端に前記ロッドが軸着されるとともに他端に杭ガイドが形成されたパイプ材からなる斜材と、前記軸受に嵌入された前記ロッドを前記軸受けに固定するための留めボルトと、地面に打ち込まれて前記杭ガイドが外嵌される杭と、前記杭ガイドが外嵌された前記杭を前記杭ガイドに固定するための留めボルトを備えるものであるので、従来の仮囲いのように支柱を建てる必要がなく、大幅な施工工数の削減を図ることができる。また、パネルボードは地面に載置されて、パネルボード下と地面との間に形成されていた隙間が解消されること、及び、パネルボードの側縁部同士が密着された状態で設けられて、パネルボード間の隙間が解消されることから、見栄えが良くなるという利点に加えて、防犯上の利点も生じる。さらに、設置する地面が傾斜している場合であっても、パネルボード同士を相互に上下方向にずらせることで、パネルボードを傾けずに、見栄えよく仮囲いを設置することができる。
【００２０】
請求項２記載の仮囲いは、請求項１記載の仮囲いにおいて、本体板と狭持部材との間に重合された前記つばを挿入してボルトとナットを締めることで前記つば同士を挟んで相互に固定することができるとともに前記本体板の端部には杭ガイドが溶接にて取り付けられているクランプと、地面に打ち込まれて前記杭ガイドが外嵌される杭と、前記杭ガイドが外嵌された前記杭を前記杭ガイドに固定するための留めボルトとをさらに備えるものであるので、前記パネルボードには、前記つばのみが形成されていればよく、前記パネルボード面から突出した取付具等を設ける必要がないので、かさ張らずに複数の前記パネルボードを重ね合わせることができ、コンパクトにまとめて運搬することが可能である。
【図面の簡単な説明】
【図１】本発明の実施形態に係る仮囲いを示した斜視図である。
【図２】上部クランプを示した斜視図である。
【図３】下部クランプを示した斜視図である。
【図４】支持手段の説明図である。
【図５】傾斜した地面に本発明の実施形態に係る仮囲いを設けた場合の説明図である。
【図６】従来例に係る仮囲いを示した斜視図である。
【図７】傾斜した地面に従来例に係る仮囲いを設けた場合を示した説明図である。
【符号の説明】
Ａ  仮囲い
１  パネルボード
１ａ  側縁部
１ｂ  ボード面
１ｃ  つば
２  敷地境界
３  地面
４  クランプ
５  支持手段
【図１】
0003875016.tif 000002
【図２】
0003875016.tif 000003
【図３】
0003875016.tif 000004
【図４】
0003875016.tif 000005
【図５】
0003875016.tif 000006
【図６】
0003875016.tif 000007
【図７】
0003875016.tif 000008